(57)【特許請求の範囲】
【請求項１】
太陽電池パネル固定用金具を架台部材に固定する為の固定用ナットを前記架台部材のレール溝に移動可能に備えた太陽電池パネルの固定架台において、
前記架台部材の少なくとも両端近傍部に、前記固定用ナットが前記レール溝から脱落しないように移動を規制し且つ前記レール溝に対して摺動可能なファスナーを設け、
前記ファスナーは、略Ｕ字形のナット規制部と、このナット規制部の上端から前記レール溝よりも上方へ延びて突出する１対の摘み部とを有し、その弾性力で前記レール溝に固定され、
前記１対の摘み部の押圧操作を介して、前記ナット規制部と前記１対の摘み部を幅縮小側へ弾性変形させることで前記ファスナーを前記レール溝に対して摺動可能な状態にするように構成したことを特徴とする太陽電池パネルの固定架台。
【発明の詳細な説明】
【技術分野】
【０００１】
本発明は、太陽電池パネルの固定架台に関し、特に、架台部材のレール溝に移動可能に挿入されて太陽電池パネル固定用金具を架台部材に固定する為の固定用ナットがレール溝から脱落しないように移動を規制するファスナーを設けた固定架台に関するものである。
【背景技術】
【０００２】
従来から、太陽電池パネルが、地上や屋上や傾斜屋根などの水平な又は傾斜した設置面上に金属製の固定架台を介して設置されている。この固定架台は、設置面に固定具などを介して固定される複数の縦ラックと、これら縦ラック上に固定される複数の横ラックとで構成されている。複数の太陽電池パネルを固定架台に横方向に並べたパネル列の各々は２条の横ラックに両端支持され、太陽電池パネルの上端部の複数部位が太陽電池パネル固定用金具で夫々固定される。
【０００３】
横ラックには、長手方向の全長に亙って上方開放状のレール溝が形成されている。このレール溝には、複数の太陽電池パネル固定用金具を横ラックに固定する為の複数の固定用ナットが移動可能に挿入される。太陽電池パネル固定用金具は、横ラックの上端部分の支持板に載置され太陽電池パネルの例えば上端部を上方から押さえた状態で、固定用ナットと締結ボルトとにより横ラックに固定される。
【０００４】
特許文献１の機能パネルの取付構造においては、太陽電池パネルを横桟に固定する為のカバー板と、横桟の長手方向の全長に亙って形成されたスライド係止溝に挿入されカバー板を横桟に固定する為の固定機構が設けられている。固定機構は、スライド係止溝にスライド移動可能なスライド板と、スライド板からスライド溝よりも上方に延びて突出するボルトと、このボルトに締結される締結ナットで構成されている。固定機構のスライド板は、横桟の据え付け前からスライド係止溝に挿入されている。
【０００５】
太陽電池パネルを横桟に取り付ける場合、カバー板を横桟の上端部に載置し、カバー本体部の通孔に固定機構のボルトを挿通させ、カバー本体部の幅方向両端から下方へ屈曲させた係合部を太陽電池パネルの外周枠の係合部に係合させ、ナットをボルトに締結してカバー板を横桟に固定することにより、太陽電池パネルの上端部がカバー板で上方から押さえられた状態で横桟に固定される。
【０００６】
特許文献２の筐体転倒防止架台は、電子機器用筐体の底面の両端側に取り付け可能な１対の架台で構成されている。各架台は、架台本体と、架台本体の両側に配置され前後に伸縮可能な１対の前後アームと、前後アームと直交するように配置され左右に伸縮可能な左右アームとから構成されている。
【０００７】
架台本体の上部にはスライドナットが組み込まれ、スライドナットを筐体の取付穴の位置に移動させて、ボルトをスライドナットに螺合することで、筐体本体が筐体に固定される。架台本体の両端部にはスライドナット抜け止め用のゴムキャップが設けられている。
【先行技術文献】
【特許文献】
【０００８】
【特許文献１】特開２００６−１４４２６８号公報
【特許文献２】特開２００１−５３４５６号公報
【発明の概要】
【発明が解決しようとする課題】
【０００９】
従来の太陽電池パネルの固定架台においては、屋根の上で横ラックのレール溝に固定用ナットを挿入する場合、固定用ナットを誤って屋根の下へ落下させてしまう虞がある。
そこで、横ラックの据え付け前から固定用ナットをレール溝に移動自在に挿入しておくことが考えられる。この場合、固定用ナットを所望の位置に移動させる際、手袋を嵌めた作業者にとってはレール溝に挿入された固定用ナットを掴むことができないため、別途工具等を用いて固定用ナットを移動させなければならない。
更に、屋根の上へ横ラックを搬送している間や横ラックを縦ラック上に据え付けるときに横ラックが傾くと、レール溝の端部開口から固定用ナットが脱落するという問題もある。特許文献１の機能パネルの取付構造においても、横桟の据え付け前から固定機構のスライド板がスライド係止溝に挿入されているので、スライド板がスライド係止溝の端部開口から脱落するという問題が生じる。
【００１０】
そこで、複数の固定用ナットを予めボルトで暫定的に固定しておくことも可能であるが、この場合、固定作業に時間と労力を要するうえ、固定金具を横ラックに固定する際には、一旦ボルトを外してから再度取り付けなければならないため、太陽電池パネルの取付作業を能率的に行うことができない。
【００１１】
特許文献２の筐体転倒防止架台においては、架台本体の両端部にスライドナット抜け止め用のゴムキャップが設けられているが、このゴムキャップは架台本体に対して摺動させることができないため、架台本体の所望の位置に設けることができない。
【００１２】
本発明の目的は、架台部材のレール溝に移動可能に設けられた固定用ナットの脱落を確実に防止でき、固定用ナットを所期の位置に保持できる太陽電池パネルの固定架台を提供することである。
【課題を解決するための手段】
【００１３】
請求項１の太陽電池パネルの固定架台は、太陽電池パネル固定用金具を架台部材に固定する為の固定用ナットを前記架台部材のレール溝に移動可能に備えた太陽電池パネルの固定架台において、前記架台部材の少なくとも両端近傍部に、前記固定用ナットが前記レール溝から脱落しないように移動を規制し且つ前記レール溝に対して摺動可能なファスナーを設け、前記ファスナーは、略Ｕ字形のナット規制部と、このナット規制部の上端から前記レール溝よりも上方へ延びて突出する１対の摘み部とを有し、その弾性力で前記レール溝に固定され、前記１対の摘み部の押圧操作を介して、前記ナット規制部と前記１対の摘み部を幅縮小側へ弾性変形させることで前記ファスナーを前記レール溝に対して摺動可能な状態にするように構成したことを特徴とする太陽電池パネルの固定架台。
【００１４】
【００１５】
【発明の効果】
【００１６】
請求項１の発明によれば、架台部材の少なくとも両端近傍部に、固定用ナットがレール溝から脱落しないように移動を規制し且つ架台部材に対して摺動可能なファスナーを設けたので、このファスナーにより、固定用ナットのレール溝からの脱落を確実に防止することができる。更に、レール溝に挿入された固定用ナットの両側に１対のファスナーを設ける場合には、固定用ナットの移動が規制されるので、固定用ナットを所期の位置に保持することができる。
【００１７】
また、ファスナーは、その弾性力でレール溝に固定されているので、ファスナーをレール溝にガタツキなく確実に固定保持することができる。
【００１８】
さらに、ファスナーは略Ｕ字形のナット規制部と、このナット規制部の上端からレール溝よりも上方へ延びて突出する１対の摘み部とを有し、１対の摘み部の押圧操作を介して、ナット規制部と１対の摘み部を幅縮小側へ弾性変形させることでファスナーをレール溝に対して摺動可能な状態にするように構成したので、ナット規制部により固定用ナットの移動を確実に規制することができると共に、１対の摘み部を操作することによりファスナーをレール溝に簡単且つ容易に挿入装着することができ、必要に応じてレール溝に対して摺動させることができる。これにより、レール溝に挿入装着された固定用ナットをファスナーでもって所望の位置に容易に移動させることができる。
【図面の簡単な説明】
【００１９】
【図１】実施例の太陽電池パネルと固定用架台の斜視図である。
【図２】太陽電池パネルと固定用架台の縦断側面図である。
【図３】横ラックに固定用ナットとファスナーを挿入装着した斜視図である。
【図４】ファスナーを横ラックのレール溝に挿入装着した状態を示す縦断側面図である。
【図５】ファスナーを横ラックのレール溝に挿入する状態を示す縦断面側面図である。
【図６】ファスナーの斜視図である。
【図７】変更形態に係る太陽電池パネルの固定架台の要部斜視図である。
【発明を実施するための形態】
【００２０】
以下、本発明を実施するための形態について実施例に基づいて説明する。
【実施例】
【００２１】
最初に、太陽電池パネル１について説明する。
図１、図２に示すように、太陽電池パネル１は、パネル本体２と、このパネル本体２の外周部に装着された枠部材３などで構成されている。枠部材３はアルミニウム製又はアルミニウム合金製のものであるが、その他の軽合金製のものでもよい。枠部材３の表面には酸化アルミニウムの防蝕兼絶縁被膜が形成されている。太陽電池パネル１は、例えば、（１．３ｍ〜１．８ｍ）×１．０ｍ程度のサイズのものである。パネル本体２は、例えば４〜５ｍｍの厚さに形成され、太陽光エネルギーを直接電力に変換する。
【００２２】
ここで、図１に示す矢印Ａは、傾斜状の屋根面（設置面Ｓ）に沿った上下方向（縦方向）を示し、矢印Ｂは屋根面に沿った水平方向（横方向）を示す。但し、本実施例では、基本的には、図２における上下左右を、上下左右として説明するが、矢印Ａに基づく上下の概念を用いる場合もある。
【００２３】
枠部材３は、パネル本体２の下端部に沿う下側枠４と、パネル本体２の上端部に沿う上側枠５と、パネル本体２の横方向の両端部に沿う１対の側部枠６とで矩形又は台形の枠状に形成されている。下側枠４は、底板部４ａと縦板部４ｂと底板部４ａの左端部（下端部）の係合部４ｃを有する。上側枠５は、底板部５ａと縦板部５ｂと底板部５ａの右端部（上端部）の溝状の係合部５ｃを有する。
【００２４】
図１、図２に示すように、太陽電池パネル１の固定架台７は、屋根面からなる設置面Ｓに複数の太陽電池パネル１を取り付ける為のものである。この固定架台７は、屋根面の上下方向向きに且つ横方向に適当間隔おきに配設された複数の縦ラック８Ａ（架台部材）と、これら複数の縦ラック８Ａの上に横方向向きに且つ太陽電池パネル１の上下幅とほぼ等しい間隔おきに配設された複数の横ラック８Ｂ（架台部材）とを有する。
【００２５】
縦ラック８Ａと横ラック８Ｂは、夫々、アルミニウム又はアルミニウム合金を押し出し成形した条材である。縦ラック８Ａと横ラック８Ｂの表面には酸化アルミニウムを主成分とする防蝕兼絶縁被膜が形成されている。縦ラック８Ａと横ラック８Ｂの各交差部において、横ラック８Ｂは縦ラック８Ａに対して１対の連結金具９により固定されている。横方向に直線的に延びる各列の複数の横ラック８Ｂは、各継目において導電接続片を介して導電接続され、その各列の横ラック接続体は導電線により予め地面に接地されている。
【００２６】
図２〜図５に示すように、横ラック８Ｂは、連結金具９で固定される底板１０と、この底板１０に垂直に一体形成された１対のリブ１１ａ，１１ｂと、この１対のリブ１１ａ，１１ｂの上端に夫々一体形成された１対の横支持板１２ａ, １２ｂと、１対の横支持板１２ａ，１２ｂに夫々垂直に一体形成された１対の縦支持板１３ａ，１３ｂと、この１対の縦支持板１３ａ，１３ｂの上端に一体形成された頂部支持板１４などを有する。
【００２７】
右側（上側）の横支持板１２ａの上に太陽電池パネル１の枠部材３の左端部（下端部）が載置支持され、左側（下側）の横支持板１２ｂの上に太陽電池パネル１の枠部材３の右端部（上端部）が載置支持されている。
右側の縦支持板１３ａの右端面下部には、縦支持板１３ａの全長に亙って凸部１３ｃが一体形成され、この凸部１３ｃと縦支持板１３ａの下端部分と横支持板１２ａとで、係合溝１３ｄが形成されている。太陽電池パネル１の枠部材３の下側枠４における底板部４ａの係合部４ｃが係合溝１３ｄに係合している。
【００２８】
頂部支持板１４の右側部分を縦支持板１３ａより右側に突出させて、太陽電池パネル１の枠部材３の下側枠４が当接するＬ形受部１４ａが一体形成されている。頂部支持板１４の下側において１対の縦支持板１３ａ，１３ｂに亙って中段板１５が一体形成されている。頂部支持板１４には、上下方向に挿通した挿通溝１４ｂが横方向の全長に亙って形成され、中段板１５には、浅い溝部１５ａが横方向の全長に亙って形成されている。
【００２９】
中段板１５には、溝部１５ａを挟んで対向状に１対の規制部１５ｂ，１５ｃが横方向の全長に亙って形成されている。前記の溝部１５ａの上側に１対の規制部１５ｂ，１５ｃによって規制溝１５ｄが形成されている。前記挿通溝１４ｂと規制溝１５ｄと溝部１５ａなどを含むレール溝１６が横方向の全長に亙って形成されている。
【００３０】
上記のように、太陽電池パネル１の枠部材３の下側枠４の係合部４ｃを係合溝１３ｄに係合させることで、太陽電池パネル１の下端部（左端部）が横ラック８Ｂに固定され、また、太陽電池パネル１の枠部材３の上側枠５の両端近傍部を、後述する１対の固定機構１７により横ラック８Ｂに固定することで、太陽電池パネル１の上端部（右端部）が横ラック８Ｂに固定される。
【００３１】
前記太陽電池パネル１の固定架台７は、太陽電池パネル１を横ラック８Ｂに固定する複数の固定機構１７と、横ラック８Ｂの両端近傍部を含む複数部位に設けられた複数のファスナー１８とを備えている。
【００３２】
次に、固定機構１７について説明する。
図２に示すように、太陽電池パネル１の枠部材３の上側枠５の底板部５ａと係合部５ｃが横ラック８Ｂの左側の横支持板１２ｂ上に載置支持される。太陽電池パネル１の横方向の両端近傍部位に対応する位置に１対の固定機構１７が配置され、これら１対の固定機構１７によって係合部５ｃが横ラック８Ｂに押圧して固定される。
【００３３】
固定機構１７は、太陽電池パネル固定用金具１９（以下、固定用金具という）と、この固定用金具１９を横ラック８Ｂに固定する為の固定用ナット２０と、固定用ナット２０に螺合する締結ボルト２１などを有する。
【００３４】
固定用金具１９は、枠部材３の上側枠５の縦板部５ｂの右側面に沿うように配置された縦板部１９ａと、この縦板部１９ａの上端部から右方へ延び且つ横ラック８Ｂの頂部支持板１４上に載置される横板部１９ｂとが一体形成されている。
【００３５】
縦板部１９ａの下端部を枠部材３の上側枠５の係合部５ｃに係合させ、締結ボルト２１を、横板部１９ｂの挿通孔を挿通して横ラック８Ｂのレール溝１６に挿入されている固定用ナット２０に螺合して、横板部１９ｂを横ラック８Ｂの頂部支持板１４に固定することで、枠部材３の上側枠５を横ラック８Ｂに押圧固定する。横板部１９ｂの左右の両端部には、隣接する太陽電池パネル１の間を覆う間カバー（図示略）を取り付ける為の１対の取付板部１９ｃ，１９ｄが上方に突出状に一体形成されている。
【００３６】
複数の固定用ナット２０は、横ラック８Ｂを据え付ける前に、レール溝１６の中段部において頂部支持板１４と規制溝１５ｄの間に移動自在に予め装着される。その横ラック８Ｂを屋根の上へ搬送する間に、複数の固定用ナット２０が横ラック８Ｂから脱落しないように、横ラック８Ｂの少なくとも両端近傍部には、以下に説明する少なくとも１対のファスナー１８がレール溝１６に摺動可能に装着される。複数の固定用ナット２０は、１対の規制部１５ｂ，１５ｃにより左右方向（上下方向）へ移動しないように規制され、且つ１対のファスナー１８の間において横方向へ移動自在に装着される。
【００３７】
次に、ファスナー１８について説明する。
図３〜図５に示すように、レール溝１６に装着された複数の固定用ナット２０が、レール溝１６の両端開口から脱落するのを防止する為に、少なくとも１対のファスナー１８は、横ラック８Ｂのレール溝１６の少なくとも両端近傍部に予め挿入装着される。ファスナー１８はバネ鋼製の金属薄板（板厚が例えば０．３〜０．６ｍｍ）で一体形成された左右に対称の構造である。
【００３８】
図６に示すように、ファスナー１８は、略Ｕ字形のナット規制部２２と、このナット規制部２２の上端から上方へ延びる１対の摘み部２３とを有する。ナット規制部２２は、矩形板状の底板部２４と、この底板部２４の左右両端から鋭角に屈曲して上方に所定長さ延びてハ字状に対向する１対の側板部２５ａ，２５ｂとを有する。図４に示すように、ナット規制部２２の下端部は、中段板１５上に１対の規制部１５ｂ，１５ｃで形成された規制溝１５ｄに係合して正規の姿勢を保持している。
【００３９】
１対の摘み部２３は、例えば親指と人差指で操作し易い間隔を確保し且つ押圧操作したときにナット規制部２２を幅縮小側に弾性変形させ得るようにナット規制部２２の上端から上方へ延びて先端部分が互いに離隔する方向に折曲して形成されている。
【００４０】
１対の摘み部２３は、１対の側板部２５ａ，２５ｂの上端から夫々上方に所定長さ延びる１対の係合板部２６ａ，２６ｂと、１対の係合板部２６ａ，２６ｂの上端から夫々直角に外側に屈曲した１対の水平板部２７ａ，２７ｂと、１対の水平板部２７ａ，２７ｂの外端部から夫々上方へ所定高さ直角に立ち上がる１対の立板部２８ａ，２８ｂと、右側の立板部２８ａの上端から右方下り傾斜状に折曲された右側の操作板部２９ａと、左側の立板部２８ｂの上端から左方下り傾斜状に折曲された左側の操作板部２９ｂとを有する。
【００４１】
図５に示すように、ファスナー１８をレール溝１６に挿入する際には、１対の操作板部２９ａ，２９ｂを親指と人差指で摘んで幅縮小側に押圧して、ナット規制部２２の１対の側板部２５ａ，２５ｂを幅縮小側へ弾性変形させてから、ナット規制部２２をレール溝１６に導入してナット規制部２２の下端部を規制溝１５ｄに接近状態にし、１対の摘み部２３をレール溝１６の挿通溝１４ｂから上方へ突出させた状態で、ファスナー１８をレール溝１６のうちの横方向の両端側部分に位置する固定用ナット２０の近傍位置（但し、固定用ナット２０よりも横ラック８Ｂの端部側位置）まで摺動させる。
【００４２】
図３、図４に示すように、ファスナー１８をレール溝１６に固定する場合には、ナット規制部２２の下端部をレール溝１６の規制溝１５ｄに係合させた状態にしてから、１対の操作板部２９ａ，２９ｂから指を離す。すると、ナット規制部２２の１対の側板部２５ａ，２５ｂが幅拡大側へ弾性変形し、１対の摘み部２３が幅拡大側へ移動し、その弾性力により１対の係合板部２６ａ，２６ｂが頂部支持板１４の挿通溝１４ｂの側面に当接して摩擦接触した状態になる。
【００４３】
以上説明した太陽電池パネル１の固定架台７の作用効果について説明する。
横ラック８Ｂを据え付ける前から複数の固定用ナット２０をレール溝１６の太陽電池パネル１が固定される横方向の両端近傍部位に対応する位置に夫々装着すると共に、ファスナー１８をレール溝１６の両端近傍部に夫々装着する。
【００４４】
屋根の上へ横ラック８Ｂを搬送する間や縦ラック８Ａ上に据え付けるときに横ラック８Ｂが傾いて、固定用ナット２０がレール溝１６の両端側へ移動しても、固定用ナット２０がファスナー１８のレール規制部２２の１対の側板部２５ａ，２５ｂ及び底板部２４で受け止められ、その移動が規制されるので、固定用ナット２０のレール溝１６の端部開口からの脱落を確実に防止することができる。
【００４５】
ファスナー１８は、バネ鋼製の金属薄板で構成され、レール溝１６において、ナット規制部２２の下端部が横ラック８Ｂの中段板１５上に１対の規制部１５ｂ，１５ｃで形成された規制溝１５ｄに係合して正規の姿勢を保持し、弾性力により１対の摘み部２３の係合板部２６ａ，２６ｂが頂部支持板１４の挿通溝１４ｂの側面に当接して接触摩擦しているので、ファスナー１８をレール溝１６にガタツキなく確実に固定保持することができる。
【００４６】
ファスナー１８は、ナット規制部２２の上端からレール溝１６よりも上方へ延びて突出する１対の摘み部２３を有するので、これら１対の摘み部２３を操作することでファスナー１８をレール溝１６に簡単且つ容易に挿入装着し、必要に応じて横方向へ摺動させることができる。これにより、レール溝１６に挿入装着された固定用ナット２０をファスナー１８でもって所望の位置に容易に移動させることができる。
【００４７】
前記実施例を次のように部分的に変更してもよい。
（１）図７に示すように、レール溝１６の各固定用ナット２０の両側近傍部位に１対のファスナー１８を夫々設けてもよい。これにより、各固定用ナット２０の移動が規制されるので、固定用ナット２０を所期の位置に保持することができる。
【００４８】
（２）ファスナー１８の１対の摘み部２３は、実施例の形状に限定されるものではなく、例えば親指と人差指で操作し易い間隔を確保し且つ押圧操作したときにナット規制部２２を幅縮小側に弾性変形させ得るものであればよい。
【００４９】
（３）その他、本発明の趣旨を逸脱しない範囲において、前記の実施例に種々の変更を付加して実施可能である。
【符号の説明】
【００５０】
１      太陽電池パネル
７      固定架台
８Ａ    縦ラック
８Ｂ    横ラック
１６    レール溝
１８    ファスナー
１９    太陽電池パネル固定用金具
２０    固定用ナット
２２    ナット規制部
２３    摘み部
【図１】
0005704328.tif 000002
【図２】
0005704328.tif 000003
【図３】
0005704328.tif 000004
【図４】
0005704328.tif 000005
【図５】
0005704328.tif 000006
【図６】
0005704328.tif 000007
【図７】
0005704328.tif 000008